(57)【要約】【課題】  良好な弾力性、透気性および着心地を備えた厚い布材構造を提供する。【解決手段】  布材構造は、複数の上層弾性繊維４１を有する上層弾性繊維層４と、複数の下層弾性繊維５１を有する下層弾性繊維層５と、複数の非弾性繊維３１を有して、上層弾性繊維層４と下層弾性繊維層５との間に結合される中間非弾性繊維層６とを備える。布材は、上層、中間層および下層の多層が結合された構造のため、厚みのある触感を有して布縁にカールが発生することを防止する。布片は、編み構造により非弾性繊維層６と二つの弾性繊維層４１、５１とを結合して、優れた弾力性および透気性を備えて、着心地が快適な効果を有する。【選択図】  図２
0003111258.tif 000002
【実用新案登録請求の範囲】
【請求項１】
複数の上層弾性繊維を有する上層弾性繊維層と、
複数の下層弾性繊維を有する下層弾性繊維層と、
複数の非弾性繊維を有し、前記上層弾性繊維層と前記下層弾性繊維層との間に設けられ、前記上層弾性繊維層および前記下層弾性繊維層に結合する中間非弾性繊維層と、
を備えることを特徴とする布材構造。
【請求項２】
前記上層弾性繊維と前記下層弾性繊維とは、前記非弾性繊維により交互に編まれて互いに結合されることを特徴とする請求項１記載の布材構造。
【請求項３】
前記非弾性繊維は、丸編機により前記上層弾性繊維および前記下層弾性繊維へ交互に編まれて結合されることを特徴とする請求項２記載の布材構造。
【考案の詳細な説明】
【技術分野】
【０００１】
本考案は、布材構造に関し、特に下着の製作に用いる布材構造に関する。
【背景技術】
【０００２】
生活水準および製品設計は日増しに向上しており、ユーザの中でも特に女性ユーザは、下着（例えば、ブラジャー、ガードルなど）を選択する際、デザイン以外に着用時の快適性を非常に重視する。
【０００３】
下着は、着用したときに着用者の皮膚へ直接に接触する。そのため、着用したときの快適性を追求するため、それら下着の一部は伸縮機能を備えた弾性布により製作された。
【０００４】
しかし、従来の弾性布は単層構造で薄かったために、使用するときに縁がカールしたり弾力性が不足したりするなどの欠点があった。
【０００５】
そして、これらの欠点を克服するため、貼り合わせ布材が開発されている。図１は、従来の貼り合わせ布材を示す断面図である。図に示すように、従来の貼り合わせ布材は、第１層弾性布片１の一側面に、第２層弾性布片２が粘着剤３により粘着されて形成されていた。
【０００６】
また、従来の貼り合わせ布材は、良好な厚み感を得るために、製造するときに第１層弾性布片１と第２層弾性布片２との間に粘着剤３を塗布する。この粘着剤により第１層弾性布片１と第２層弾性布片２とを互いに貼り付けて結合し、比較的厚い弾性布材を形成することにより、弾力性の安定度を向上させて布材の縁がカールすることを防止していた。
【０００７】
しかしこのような構造の貼り合わせ布材は、製造上および使用上、次のような明らかな欠点があった。
（１）第１層弾性布片１および第２層弾性布片２を別々に製造してから、粘着剤３により２層の弾性布片を粘着し、押さえて乾燥させる工程には、非常に多くの時間と労働コストがかかった。
（２）第１層弾性布片１と第２層弾性布片２とが、粘着剤３により粘着される製造工程において、粘着剤の塗布が不均一または不完全な場合、その布材の完成品には貼り合わせが平坦とならなくなる問題が発生して、弾性布片が容易に剥がれて、使用寿命が短くなる。
【０００８】
（３）下着製品は、その種類に合わせて、第１層弾性布片１および第２層弾性布片２に、異なる弾力性を有する布片が使用された。そして、その弾力性の違いは、使用して一定期間経つと、貼り合わされた第１層弾性布片１と第２層弾性布片２とを剥がれやすくし、製造された下着の使用寿命は相対的に短くなる。
（４）粘着剤３を使用すると、第１層弾性布片１と第２層弾性布片２との透気性が無くなり、着用者は着用したときに不快感を感じた。
（５）粘着剤３の粘着力により、粘着剤３が粘着される第１層弾性布片１および第２層弾性布片２に硬化現象が発生して、着用時の快適度に影響を与えた。
（６）粘着剤３が化学粘着剤のため、着用者の皮膚は、アレルギーを起こしたり不快感を感じたりした。
【考案の開示】
【考案が解決しようとする課題】
【０００９】
本考案の目的は、従来の貼り合わせ布材の製造および使用の際に発生していた欠点に対して設計改良を行い、良好な弾力性、透気性および着心地を備えた厚い布材構造を提供することにある。
【課題を解決するための手段】
【００１０】
上述の目的を達成するために、本考案は布材構造を提供する。この布材構造は、複数の上層弾性繊維を有する上層弾性繊維層と、複数の下層弾性繊維を有する下層弾性繊維層と、複数の非弾性繊維を有して、上層弾性繊維層と下層弾性繊維層との間に設置され、上層弾性繊維層および下層弾性繊維層に結合する中間非弾性繊維層とを備える。布材は、上層、中間層および下層の多層が結合された構造のため、厚みのある触感を有し、布縁にカールが発生することを防止することができる。布片は、編み構造により非弾性繊維層と二つの弾性繊維層とを結合して、優れた弾力性および透気性を備えて、着心地が快適な効果を備える。
【考案の効果】
【００１１】
本考案の布材により下着を製作すると、良好な弾力性、厚み感、透気性および快適な着心地感という使用効果を有する布材を着用者に提供することができる。また、製作者にとっては、当該布材の製造品質を向上させたり、製造工程時間を節約することができるといった長所がある。
【考案を実施するための最良の形態】
【００１２】
以下、本考案の実施形態を、図２に基づいてその構造、特長およびその効能を詳細に説明する。
図２は本考案の一実施形態による布材構造を示す断面図である。図２に示すように、この布材構造は、上層弾性繊維層４、下層弾性繊維層５および中間非弾性繊維層６を備える。
【００１３】
上層弾性繊維層４は複数の上層弾性繊維４１を有し、下層弾性繊維層５は複数の下層弾性繊維５１を有し、中間非弾性繊維層６は複数の非弾性繊維６１を有する。中間層の非弾性繊維６１は、丸編機などにより上層弾性繊維４１および下層弾性繊維５１のそれぞれに編まれて互いに結合され、弾力性と厚み感を備えた布材を形成して、布縁がカールすることを防止することができる。
【００１４】
本考案の一実施形態による布材構造は、上述した従来の貼り合わせ布材と比べて以下のような長所を具備する。
（１）編み方式により中間層の非弾性繊維６１と上下層の弾性繊維４１、５１とが直接に結合されるために、従来の貼り合わせ布材では、弾性布片が別々に製作されてから、粘着剤により粘着されていた工程が必要なくなるため、工程時間およびコストを大幅に節約することができる。
（２）本実施形態の布材構造は、編み構造により非弾性繊維層６と二つの弾性繊維層４、５とが結合されるため、製作される布材が、厚み感を有するだけでなく、安定した緊密度も備えることができる。そのため、互いに剥がれることがなく、当該布材は、布材により製作された下着に必要な使用寿命を保持することができる。
（３）本実施形態の布材構造は、編み構造により非弾性繊維層と二つの弾性繊維層とが完全な布材に結合されるため、従来の貼り合わせ布材の異なる繊維層間における貼り合わせが平坦とならなくなることを防止することができる。
（４）本実施形態の布材構造は、粘着剤を全く使用しないため、弾性繊維が元々備える良好な弾力性、柔軟性および透気性を保持することができる。そのため、下着に製作した場合に、非常に快適な着心地感を備える上、皮膚がアレルギーを起こすことがない。
【００１５】
本考案では好適な実施形態を前述の通り開示したが、これらは決して本考案を限定するものではなく、当該技術を熟知するものなら誰でも、本考案の趣旨と領域を脱しない範囲内で各種の変動や潤色を加えることができる。従って本考案の保護の範囲は、実用新案登録請求の範囲で指定した内容を基準とする。
【図面の簡単な説明】
【００１６】
【図１】従来の貼り合わせ布材を示す断面図である。
【図２】本考案の一実施形態による布材構造を示す断面図である。
【符号の説明】
【００１７】
４  上層弾性繊維層、４１  上層弾性繊維、５  下層弾性繊維層、５１  下層弾性繊維、６  中間非弾性繊維層、６１  非弾性繊維
【図１】
0003111258.tif 000003
【図２】
0003111258.tif 000004